(57)【要約】【課題】２本の線材のみでフレームを構成する軽量で簡単な構造からなり製造も簡略化できる眼鏡を提供することを目的とするものである。【解決手段】主線材１は、両側部分にテンプル部１０を湾曲形成し、中央部分に２つのリム部１２を下向きに湾曲形成してその間にパッド取付部１４を折り曲げ形成する。副線材２は、両端部に掛止部２０を形成し、その間に２つの上向きに湾曲形成したリムバー部２１を形成する。そして、掛止部２０を主線材１のリム部１２の両端に掛止し、パッド取付部１４を副線材２のリムバー部２１の間に掛止して、リム部１２及びリムバー部２１によりレンズの周縁を保持する。【選択図】        図１
2005017560.tif 000002
【特許請求の範囲】
【請求項１】
両側部分をテンプル部とし、中央部分を湾曲させてレンズの上側以外の周縁を保持するリム部を２つ形成するとともに２つのリム部の間に折り曲げて形成されたパッド取付部を有する主線材と、両端に前記主線材に掛止する掛止部が形成されるとともにレンズの上側周縁に当接するリムバー部を有する副線材とを備え、
前記掛止部を主線材に掛止するとともに前記パッド取付部を副線材の前記リムバー部に掛止することで、前記リムバー部及び前記リム部により２つのレンズ周縁を保持することを特徴とする眼鏡。
【請求項２】
前記主線材及び前記副線材は、弾性を有する材料からなることを特徴とする請求項１に記載の眼鏡。
【請求項３】
前記テンプル部は、主線材の中央部分に向かって湾曲して形成されていることを特徴とする請求項２に記載の眼鏡。
【請求項４】
前記パッド取付部は、前記テンプル部の先端部を掛止する保持部を有することを特徴とする請求項３に記載の眼鏡。
【請求項５】
前記テンプル部は、顔面の両側部に圧接して装着されることを特徴とする請求項１から４のいずれかに記載の眼鏡。
【発明の詳細な説明】
【０００１】
【発明の属する技術分野】
本発明は、眼鏡に関し、特に、フレームが線材により構成される眼鏡に関する。
【０００２】
【従来の技術】
眼鏡では、従来より軽量化やデザインの観点からフレームに線材が用いられている。例えば、特許文献１には、線材で構成したブリッジ及びテンプルアームに、鼻の両側を押さえるようにした２つの鼻パッドと頭部前方両側のこめかみのくぼみ領域を押さえるようにした２つのテンプルパッドを取り付けた眼鏡が記載されている。また、特許文献２には、フロントと、該フロントの両端に接続されるテンプルとを、一本の金属製線材を屈曲して一体成形した眼鏡枠で、フロントとテンプルとの接続部に、金属製線材によって成形されるねじりコイルバネが設けられている点が記載されている。また、特許文献３には、レンズ周面に線材を当接してリムバーに弾圧固定する眼鏡で、線材の両端部にそれぞれ設けた掛止体をリムバーに掛止してレンズを固定し、掛止体には鼻当てが延設されている点が記載されている。
【０００３】
【特許文献１】
特許第３１５６１６１号公報
【特許文献２】
実用新案第２５４１７１９号公報
【特許文献３】
特許第３０５８５６７号公報
【０００４】
【発明が解決しようとする課題】
こうした従来の眼鏡では、線材を用いているものの他の部材との組合せが必要で、複雑な形状加工も必要となり、依然として製造工程が複雑となっている。特許文献１では、レンズとの接続部分で精度よく加工しないとガタツキが生じ、特許文献２では、ねじりコイルバネの加工を行う必要がある。また、特許文献３では、掛止体を別部材で構成して線材と組合わせている。
【０００５】
そこで、本発明では、２本の線材のみでフレームを構成する軽量で簡単な構造からなり製造も簡略化できる眼鏡を提供することを目的とするものである。
【０００６】
【課題を解決するための手段】
本発明に係る眼鏡は、両側部分をテンプル部とし、中央部分を湾曲させてレンズの上側以外の周縁を保持するリム部を２つ形成するとともに２つのリム部の間に折り曲げて形成されたパッド取付部を有する主線材と、両端に前記主線材に掛止する掛止部が形成されるとともにレンズの上側周縁に当接するリムバー部を有する副線材とを備え、前記掛止部を主線材に掛止するとともに前記パッド取付部を副線材の前記リムバー部に掛止することで、前記リムバー部及び前記リム部により２つのレンズ周縁を保持することを特徴とする。さらに、前記主線材及び前記副線材は、弾性を有する材料からなることを特徴とする。さらに、前記テンプル部は、主線材の中央部分に向かって湾曲して形成されていることを特徴とする。さらに、前記パッド取付部は、前記テンプル部の先端部を掛止する保持部を有することを特徴とする。さらに、前記テンプル部は、顔面の両側部に圧接して装着されることを特徴とする。
【０００７】
本発明は上記のような構成を有することで、主線材及び副線材の２つの線材によりフレームが構成されて非常に簡単な構造であり、副線材の掛止部を主線材に掛止するとともに主線材のパッド取付部を副線材のリムバー部に掛止することで、リムバー部及びリム部により２つのレンズ周縁を保持するので、レンズを確実に保持することができる。したがって、軽量で簡単な構造でありながら、レンズの保持等の眼鏡としての強度も併せ持つ眼鏡とすることができる。
【０００８】
特に、主線材がテンプル部、リム部及びパッド取付部を備えており、リム部においてレンズの上側以外の周縁を保持することでリム部でレンズを確実に保持し、レンズをテンプル部及びパッド取付部で一体となって支持するようにしているため、眼鏡としての強度を高めることができる。そして、副線材の掛止部を主線材に掛止し、リムバー部でレンズの上側周縁に当接することでレンズをがたつくことなくしっかりと保持することができる。  さらに、主線材及び副線材を弾性を有する材料で構成することで、弾性により顔面への装着状態を安定したものとし、レンズの保持もより確実に行うことができる。また、テンプル部を主線材の中央部分に向かって湾曲して形成することで、顔面に装着する際にテンプル部を開いて装着するようになってテンプル部の弾性力が高まり、顔面にテンプル部が圧接して装着されるようになることから、装着状態をより安定したものとすることができる。したがって、テンプル部を折り畳むための蝶番等の部品が不要となる。そして、湾曲形成したテンプル部は、保管時にはパッド取付部の保持部に掛止するようにすれば、眼鏡全体がコンパクト化できテンプル部が邪魔になることがない。
【０００９】
さらに、眼鏡全体が軽量化できることから、テンプル部を耳に掛けることなく、顔面の両側部に圧接した状態で安定して装着することが可能となる。
【００１０】
【発明の実施の形態】
以下、本発明に係る眼鏡フレームに関する実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は本実施形態の斜視図、図２はその分解斜視図、図３はその平面図、図４はその正面図をそれぞれ示している。主線材１は、線材を折り曲げて構成されており、材質は弾性を有するものが好ましい。例えば、金属では、チタン、チタン合金、ニッケル合金等が挙げられ、合成樹脂では、ナイロン系樹脂が挙げられる。主線材１の両側部分は、テンプル部１０で先端部にモダン１１が固着されている。中央部分には、レンズを保持する２つのリム部１２が下向きに湾曲して形成されている。そして、テンプル部１１とリム部１２との間には、後述する副線材２の掛止部２０を掛止するために、小さく逆Ｕ字状に折り曲げられた係合部１３が形成されている。２つのリム部１２の間には、パッド取付部１４が２箇所折り曲げて形成されている。パッド取付部１４は、リム部１２の端部で斜め下向きに線材を折り曲げて所定長さの直線部分を形成した後鼻パッド３の嵌合突起部３０を収納するように楕円状に湾曲させる。そして、下向きの直線部分に沿って上向きの直線部分を形成してリム部１２の端部に戻すことで形成される。パッド取付部１４の間はほぼ直線部分に形成され副線材２のブリッジ部２２とともに眼鏡のブリッジ部となる。
【００１２】
副線材２は、主線材１と同様の材質から構成された線材を折り曲げて構成される。副線材２の両端は、下向きで鉤状に小さく湾曲して折り曲げられて掛止部２０が形成されている。そして、２つのリムバー部２１が上向きに湾曲して形成されており、リムバー部２１の間には、ブリッジ部２２がほぼ直線状に形成されている。
【００１３】
副線材２の掛止部２０を主線材１の係合部１３に掛止し、ブリッジ２２の両側にパッド取付部１４の斜め下向き折り曲げた部分を上から係止することで、レンズ４の周縁をリム部１２とリムバー部２２とで確実に保持する。レンズ４の周縁に、線材が嵌合する溝を形成しておけば、さらに安定してレンズを保持することができる。そして、鼻パッド３をシリコン系樹脂等の柔軟性のある素材を用いて嵌合突起部３０を形成しておき、パッド取付部１４の楕円状に湾曲形成した部分に嵌合突起部３０を差し込めば簡単に鼻パッド３を取り付けることができる。また、副線材２を取り外すことが簡単にできるため、例えばレンズをサングラス用に交換したりすることも可能となる。
【００１４】
図３に示すように、テンプル部１０は、主線材１の中央部分に向かって内側に湾曲して形成されており、モダン１１が装着される先端部分は直線状になっている。テンプル部１０は、湾曲部分をプレス加工で平板状にしておくと、テンプル部１０を開閉操作する際にその方向が安定して操作できるようになる。また、眼鏡を使用しない場合には、図５に示すように、テンプル部１０を主線材１の中央部分に向かってさらに湾曲させて、モダン１１の先端をパッド取付部１４の内側に差し込むようにする。テンプル部１０の弾性によりモダン１１がパッド取付部１４の斜め下向きに折り曲げられた直線部分に圧接し、眼鏡を保管ケースやポケットに保管しやすい状態とすることができる。
【００１５】
眼鏡を装着する場合には、図６に示すように、テンプル部１０を大きく開き、鼻パッド３を鼻の上部に設置して装着する。装着状態では、テンプル部１０は、顔面の両側部分に弾性により圧接した状態となる。眼鏡自体が軽量であるため、テンプル部１０のモダン１１が耳に掛からなくても安定した装着状態とすることができる。
【００１６】
【発明の効果】
以上に説明したとおり、本発明に係る眼鏡フレームは、主線材及び副線材の２つの線材によりフレームが構成されて非常に簡単な構造であり、副線材の掛止部を主線材に掛止するとともに主線材のパッド取付部を副線材のリムバー部に掛止することで、リムバー部及びリム部により２つのレンズ周縁を保持するので、レンズを確実に保持することができる。したがって、軽量で簡単な構造でありながら、レンズの保持等の眼鏡としての強度も併せ持つ眼鏡とすることができる。
【００１７】
特に、主線材がテンプル部、リム部及びパッド取付部を備えており、リム部においてレンズの上側以外の周縁を保持することでリム部でレンズを確実に保持し、レンズをテンプル部及びパッド取付部で一体となって支持するようにしているため、眼鏡としての強度を高めることができる。そして、副線材の掛止部を主線材に掛止し、リムバー部でレンズの上側周縁に当接することでレンズをがたつくことなくしっかりと保持することができる。  さらに、主線材及び副線材を弾性を有する材料で構成することで、弾性により顔面への装着状態を安定したものとし、レンズの保持もより確実に行うことができる。また、テンプル部を主線材の中央部分に向かって湾曲して形成することで、顔面に装着する際にテンプル部を開いて装着するようになってテンプル部の弾性力が高まり、顔面にテンプル部が圧接して装着されるようになることから、装着状態をより安定したものとすることができる。したがって、テンプル部を折り畳むための蝶番等の部品が不要となる。そして、湾曲形成したテンプル部は、保管時にはパッド取付部の保持部に掛止するようにすれば、眼鏡全体がコンパクト化できテンプル部が邪魔になることがない。
【００１８】
さらに、眼鏡全体が軽量化できることから、テンプル部を耳に掛けることなく、顔面の両側部に圧接した状態で安定して装着することが可能となる。
【図面の簡単な説明】
【図１】本発明に係る実施形態の斜視図である。
【図２】本発明に係る実施形態の分解斜視図である。
【図３】本発明に係る実施形態の平面図である。
【図４】本発明に係る実施形態の正面図である。
【図５】本発明に係る実施形態の折り畳み状態の平面図である。
【図６】本発明に係る実施形態の装着時の斜視図である。
【符号の説明】
１    主線材
２    副線材
３    鼻パッド
４    レンズ
１０    テンプル部
１１    モダン
１２    リム部
１４    パッド取付部
２０    掛止部
２１    リムバー部
【図１】
2005017560.tif 000003
【図２】
2005017560.tif 000004
【図３】
2005017560.tif 000005
【図４】
2005017560.tif 000006
【図５】
2005017560.tif 000007
【図６】
2005017560.tif 000008